(57)【要約】【課題】シールドコネクタを、シールドケーブルに容易に取付けることができ、かつ、シールド性能にも優れた技術を提供すること。【解決手段】シールドケーブル１０の電線１１に接続される端子と、端子の周囲を覆うコネクタ誘電体２４と、コネクタ誘電体２４の周囲を覆う略筒状のシールド本体部２７とシールド本体部２７の基端側に連設されシールドケーブル１０のシールド層１２の先端部が覆い被せられて接続されるシールド接続部２８とを有するシールドシェル２６とを備える。シールドシェル２６は、シールド本体部２７の軸方向に沿って２分割されたシールドシェル分割体２６Ａ，２６Ｂの合体により構成されている。【選択図】図５
2006156190.tif 000002
【特許請求の範囲】
【請求項１】
シールドケーブルに接続されるシールドコネクタであって、
前記シールドケーブルの電線に接続される端子と、
前記端子の周囲を覆う誘電体と、
前記誘電体の周囲を覆う略筒状のシールド本体部と、前記シールド本体部の基端側に連設され、前記シールドケーブルのシールド層の先端部が覆い被せられて接続されるシールド接続部とを有するシールドシェルと、
を備え、
前記シールドシェルは、前記シールド本体部の軸方向に沿って分割された複数のシールドシェル分割体の合体により構成されている、シールドコネクタ。
【請求項２】
請求項１記載のシールドコネクタであって、
前記シールドシェルは、２つの前記シールドシェル分割体に分割されており、
一方の前記シールドシェル分割体の両側縁部が、他方の前記シールドシェル分割体の両側縁部に覆い被さるように重なり合う態様にて、前記２つのシールドシェル分割体が合体している、シールドコネクタ。
【請求項３】
請求項１又は請求項２記載のシールドコネクタであって、
前記シールドシェルの外周囲を覆うコネクタハウジングをさらに備え、
前記コネクタハウジングが前記シールドシェルの分割態様と対応する態様で、複数のハウジング分割体に分割されており、前記各シールドシェル分割体が対応する前記各ハウジング分割体に一体化されてなる、シールドコネクタ。
【請求項４】
請求項１〜請求項３のいずれかに記載のシールドコネクタであって、
前記シールド接続部の外周囲周りに、締結具が締結される環状溝部が形成された、シールドコネクタ。
【請求項５】
請求項１〜請求項４のいずれかに記載のシールドコネクタであって、
前記シールド接続部の先端開口部は、先端へ行くほど外径が小さくなるテーパ形状に形成されている、シールドコネクタ。
【発明の詳細な説明】
【技術分野】
【０００１】
この発明は、ＯＡやＦＡ、車載等の通信分野に適用され、特に、高速通信用のシールドケーブルの端部に接続されるシールドコネクタに関する。
【背景技術】
【０００２】
高速通信用のシールドケーブルは、一般的に、単数又は複数の電線を編組層で覆い、さらにこの周りを外被層で覆った構成とされている。
【０００３】
このようなシールドケーブルの端部に接続されるシールドコネクタとして、例えば、シールドケーブルの端部に接続される単数又は複数の端子と、この端子を覆う誘電体と、誘電体の周囲を覆うシールドシェルと、シールドシェルを覆うハウジングと、を備えた構成のものがある。
【０００４】
このようなシールドコネクタは、例えば、次のようにしてシールドケーブル端部に接続される。
【０００５】
まず、図１２（ａ）に示すように、シールドケーブル５１０の端部を加工し、編組層５１４を所定長露出させると共に、さらにその先端側に電線５１２を所定長突出させる。そして、図１２（ｂ）に示すように、編組層５１４をシールドケーブル５１０の手前側に手繰り寄せつつ、電線５１２をシールドシェル５０６に挿入してその先端側に突出させる。この状態では、シールドシェル５０６は、手繰り寄せられた編組層５１４に係止しており、シールドケーブル５１０の奥側への移動を抑止された状態となっている。次に、図１２（ｃ）に示すように、電線５１２に端子５０２を接続すると共に、端子５０２を誘電体５０４内に挿入配置する。この後、図１２（ｄ）に示すように、シールドシェル５０６をケーブル先端側に引戻して、該シールドシェル５０６で誘電体５０４を覆うと共に、編組層５１４の先端部をシールドシェル５０６の基端側部分に被せるように接続する。最後に、誘電体５０４にコネクタハウジング５１８を被せる。これにより、シールドコネクタの接続作業が終了する。
【０００６】
なお、本願発明に関連する先行技術として、他に、例えば特許文献１に記載のものがある。
【０００７】
【特許文献１】特開２００４−３２７１００号公報
【発明の開示】
【発明が解決しようとする課題】
【０００８】
しかしながら、上記シールドコネクタでは、シールドケーブル５１０の端部をシールドシェル５０６に先通しすると共に、シールドシェル５０６を手繰り寄せられた編組層５１４に係止させておいた状態で、電線５１２に端子５０２に接続する作業を実施する必要がある。よって、電線５１２を皮剥ぎしたり、電線５１２に端子５０２を圧着等する作業の邪魔にならないように、シールドシェル５０６は電線５１２の端部から十分に離れた位置に配設されている必要がある（図１２（ｂ）及び図１２（ｃ）参照）。このため、編組層５１４の露出長として、シールドシェル５０６に接続するのに必要な加工長Ｌ１に加えて、電線５１２の端末加工作業に必要な長さＬ２分を確保する必要がある。
【０００９】
そうすると、編組層５１４を十分に長く露出させる必要があり、最終形態でも、シールドケーブル５１０の端部に編組層５１４が比較的長く（Ｌ１＋Ｌ２）露出した状態となり、シールド構造が不安定で、耐ノイズ特性が劣化する要因となる。
【００１０】
なお、先通ししたシールドシェル５０６を、編組層５１４に係合させずに、外皮層５１６側へ挿通移動させてしまうような構成も想定できる。ところがこの場合、シールドシェル５０６は、シールドケーブル５１０の端部に止まらずに、その奥側へ大きく移動してしまう。このため、電線５１２への端部加工終了次第、シールドシェル５０６をシールドケーブル５１０の端部へ大きく引戻す作業が必要であり、組立作業の非効率性を招く。
【００１１】
なお、特許文献１に開示のシールドコネクタは、誘電体の先端側からシールドシェルを外嵌めしてカバーできる構成を採用している。このため、シールドシェルの基端側部分を、誘電体を挿通可能な程度に大きく開口させておく必要があり、また、この大きく開口させた部分に編組層の先端部を大きく広げて被せる必要がある。このため、やはりシールド構造が不安定で、耐ノイズ特性が劣化する要因となる。
【００１２】
そこで、本発明は、シールドコネクタを、シールドケーブルに容易に取付けることができ、かつ、シールド性能にも優れた技術を提供することにある。
【課題を解決するための手段】
【００１３】
この発明のシールドコネクタは、シールドケーブルに接続されるシールドコネクタであって、前記シールドケーブルの電線に接続される端子と、前記端子の周囲を覆う誘電体と、前記誘電体の周囲を覆う略筒状のシールド本体部と、前記シールド本体部の基端側に連設され、前記シールドケーブルのシールド層の先端部が覆い被せられて接続されるシールド接続部とを有するシールドシェルと、を備え、前記シールドシェルは、前記シールド本体部の軸方向に沿って分割された複数のシールドシェル分割体の合体により構成されているものである。
【００１４】
この場合、前記シールドシェルは、２つの前記シールドシェル分割体に分割されており、一方の前記シールドシェル分割体の両側縁部が、他方の前記シールドシェル分割体の両側縁部に覆い被さるように重なり合う態様にて、前記２つのシールドシェル分割体が合体している構成であってもよい。
【００１５】
また、前記シールドシェルの外周囲を覆うコネクタハウジングをさらに備え、前記コネクタハウジングが前記シールドシェルの分割態様と対応する態様で、複数のハウジング分割体に分割されており、前記各シールドシェル分割体が対応する前記各ハウジング分割体に一体化されてなるものであってもよい。
【００１６】
さらに、前記シールド接続部の外周囲周りに、締結具が締結される環状溝部が形成されていてもよい。
【００１７】
また、前記シールド接続部の先端開口部は、先端へ行くほど外径が小さくなるテーパ形状に形成されていてもよい。
【発明の効果】
【００１８】
この発明のシールドコネクタによると、前記シールドシェルは、前記シールド本体部の軸方向に沿って分割された複数のシールドシェル分割体により構成されているため、電線に端子を接続し、この端子を誘電体で覆った後、誘電体の周囲を覆うように各シールドシェル分割体を合体させることでシールドシェルを組立てることができる。そして、シールドケーブルのシールド層をシールド接続部に覆い被せるようにして接続することができる。このため、シールドコネクタを、シールドケーブルに容易に取付けることができ、しかも、必要以上に、シールド層を露出させることがなく、シールド性能に優れたものとすることができる。
【００１９】
また、一方の前記シールドシェル分割体の両側縁部が、他方の前記シールドシェル分割体の両側縁部に覆い被さるように重なり合う態様にて、前記２つのシールドシェル分割体が合体していると、両シールドシェル分割体を容易に合体させることができる。
【００２０】
さらに、前記各シールドシェル分割体が対応する前記各ハウジング分割体に一体化されていると、各ハウジング分割体を合体させることで、各シールドシェル分割体をも合体させることができ、便利である。
【００２１】
また、前記シールド接続部の外周囲周りに環状溝部が形成されていると、シールド接続部にシールド層を覆い被せた状態で、締結具を前記環状溝部の部分に締結することで、シールド層を比較的強固に接続保持できる。
【００２２】
また、前記シールド接続部の先端開口部が、先端へ行くほど外径が小さくなるテーパ形状に形成されていると、シールド接続部をシールド層内に挿入するようにして、シールド層をシールド接続部に覆い被せるように配置し易い。
【発明を実施するための最良の形態】
【００２３】
＜実施形態＞
以下、この発明の実施形態に係るシールドコネクタについて説明する。
【００２４】
図１は、シールドコネクタがシールドケーブルに接続された状態を示す図である。図２〜図６は、シールドコネクタをシールドケーブルの端部に接続する途中工程を示す図である。
【００２５】
すなわち、このシールドコネクタ２０は、シールドケーブル１０の端部に接続されるものである。ここで、シールドケーブル１０は、少なくとも１本（ここでは複数本）の電線１１の外周囲がシールド層１２で被覆され、このシールド層１２の外周囲がさらに絶縁樹脂等による単層又は複数層の外皮層１３で覆われた構成とされている。シールド層１２は、例えば、細軟銅線等を網状に編んだ編組層により構成されている。このようなシールドケーブル１０は、一般的には、高速通信用に用いられる。
【００２６】
シールドコネクタ２０は、少なくとも一つの端子２２（ここでは、上記電線１１の数に応じた複数の端子）と、コネクタ誘電体２４と、シールドシェル２６と、コネクタハウジング３０とを備えている。
【００２７】
各端子２２は、上記各電線１１の端部に接続されている。より具体的には、各電線１１の導体と各端子２２とが、圧着や半田付、溶接等を用いた構成により電気的に接続されている。また、各端子２２は、本シールドコネクタの接続先となる相手側コネクタの端子形状に応じて、いわゆる雌端子形状或は雄端子形状を有している。そして、本シールドコネクタ２０が相手側コネクタにコネクタ接続されると、該各端子２２が対応する各相手側端子に接続されるように構成されている。
【００２８】
コネクタ誘電体２４は、上記各端子２２を覆って、各端子２２とシールドシェル２６とを電気的に絶縁する機能を有している。より具体的には、コネクタ誘電体２４は、所定の誘電率を有する樹脂等の絶縁性材料により形成されている。コネクタ誘電体２４は、上記各端子２２を収容可能な端子収容孔部（図示省略）を有している。そして、各端子２２を、コネクタ誘電体２４の基端側から対応する各端子収容孔部内に挿入配置することで、各端子２２が相手側端子に接続可能な所定の位置及び姿勢で保持される構成となっている。また、この状態で、コネクタ誘電体２４により、各端子２２間及びシールドシェル２６との電気的な絶縁が図られる。
【００２９】
シールドシェル２６は、シールド本体部２７と、シールド接続部２８とを有しており、導電性板材、特に、軟銅等の金属製板材により形成されている。
【００３０】
シールド本体部２７は、上記コネクタ誘電体２４の周囲を覆う略筒状の形状に形成されている。コネクタ誘電体２４は、その基端部をシールド本体部２７のシールド接続部２８側部分に当接させた状態で、シールド本体部２７内の一定位置に収容配置される。
【００３１】
なお、コネクタ誘電体２４の外周形状及びこれを覆うシールド本体部２７の筒形状は、略円形状であっても、四方形を含む多角形状であってもよく、要するに、相手側コネクタと接続できる形状であればよい。もっとも、シールドシェル２６は、コネクタ誘電体２４の外周囲形状に対応する筒形状を有しており、該コネクタ誘電体２４の外周囲に密着できる形状であることが好ましい。
【００３２】
シールド接続部２８は、シールド本体部２７の基端側に連設されており、上記シールド層１２の先端部が覆い被せられて電気的及び機械的に接続されるように構成されている。より具体的には、シールド接続部２８は、上記各電線１１を集合させて収容可能な内径寸法を有し、かつ、シールド層１２を被覆可能な外径寸法を有する略筒状（ここでは略円筒状）に形成されている。そして、上記コネクタ誘電体２４の基端側で各電線１１がシールド接続部２８内を通って挿通配置されると共に、シールド層１２がシールド接続部２８の外周囲に覆い被せられる。また、シールド層１２がシールド接続部２８の外周囲に覆い被せられた状態で、シールド接続部２８及びシールド層１２の外周囲に、金属環がカシメ固定されたり、或は、金属バンドが結束等されることで、シールド接続部２８とシールド層１２とが電気的及び機械的に接続された状態に保持される。
【００３３】
また、このシールドシェル２６は、シールド本体部２７の軸方向に沿って分割された複数（ここでは２つ）のシールドシェル分割体２６Ａ，２６Ｂにより構成されている。ここでは、シールドシェル２６は、シールド本体部２７の軸方向に沿って略半分に２分割されている。すなわち、シールドシェル分割体２６Ａ，２６Ｂのうち、シールド本体部２７に対応する部分は略半角筒状に形成され、シールド接続部２８に対応する部分は略半円筒状に形成されている。そして、両シールドシェル分割体２６Ａ，２６Ｂがその両側縁部を接合させるように合体することで、シールドシェル２６が構成されるようになっている。
【００３４】
なお、両シールドシェル分割体２６Ａ，２６Ｂの合体形態は、嵌め込み構造（後述する図７参照）や半田付、溶接、ネジ止等の各種合体手法により維持される。
【００３５】
また、コネクタハウジング３０は、シールドシェル２６の外周囲を覆うように構成されている。より具体的には、コネクタハウジング３０は、樹脂等の絶縁性材料により形成されており、ここでは、前後に開口する略筒状に形成されている。そして、コネクタハウジング３０の基端側より上記シールドシェル２６がコネクタハウジング３０内に挿入配置される。また、周知の弾性係合構造やネジ止構造等を用いて、シールドシェル２６がコネクタハウジング３０内の一定位置に保持される。
【００３６】
また、このコネクタハウジング３０は、相手側コネクタとのロック構造を有しており、このロック構造により、本シールドコネクタ２０と相手側コネクタとの接続状態が係脱自在に保持されるように構成されている。
【００３７】
このように構成されたシールドコネクタ２０を、シールドケーブル１０の端部に接続する手順について説明する。
【００３８】
まず、図２に示すように、シールドケーブル１０の端部に端末加工を施し、その端部に所定長の各電線１１を突出させると共に、その手前に所定長に亘ってシールド層１２を露出させる。また、各電線１１の被覆を皮剥ぎしてその芯線部を露出させる。
【００３９】
次に、図３に示すように、各電線１１の端部に端子２２を接続する。
【００４０】
続いて、図４に示すように、各端子２２をコネクタ誘電体２４の基端側から各端子収容孔部内に挿入配置する。
【００４１】
そして、図５に示すように、シールドシェル分割体２６Ａ，２６Ｂ同士を、その両側縁部を接合するようにして合体させるようにする。この際、シールドシェル分割体２６Ａ，２６Ｂのうち、シールド接続部２８の部分をシールド層１２内に挿入しつつ、シールド本体部２７の部分がコネクタ誘電体２４部分を覆うようにする。また、この状態で、シールド接続部２８及びシールド層１２の外周囲に、金属環や金属バンドの結束具が固定されることで、シールド接続部２８とシールド層１２とが電気的及び機械的に接続された状態に保持される。
【００４２】
最後に、図６に示すように、コネクタハウジング３０をコネクタ誘電体２４の外周囲に外嵌めすると、シールドケーブル１０端部へのシールドコネクタ２０の接続作業が終了する。
【００４３】
このように構成されたシールドコネクタ２０によると、シールドシェル２６は、シールド本体部２７の軸方向に沿って分割された複数のシールドシェル分割体２６Ａ，２６Ｂの合体により構成されているため、上記のように、電線１１に端子２２を接続した後に、各シールドシェル分割体２６Ａ，２６Ｂを合体させてシールドシェル２６を組立てることができる。このため、従来のように、電線の端末加工性を考慮してシールド層を大きく露出させておく必要はない。また、シールドコネクタ２０の基端側部分は比較的しっかりしたシールドシェル２６によって覆うことができる。このため、シールド構造を安定した構成とすることができ、シールド性能（特に放射ノイズ）に優れたものとすることができる。また、従来のようにシールド層を手繰り寄せたり、引き伸したり、また、シールドシェルをケーブルに沿って移動させたりする必要はなく、シールドコネクタ２０をシールドケーブル１０に容易に取付けることができる。
【００４４】
＜変形例＞
なお、図７に示す第１変形例のように、一方側のシールドシェル分割体１２６Ａ（上記シールドシェル分割体２６Ａに対応する）の両側縁部１２６Ａａが、他方側のシールドシェル分割体１２６Ｂ（シールドシェル分割体２６Ｂに対応する）の両側縁部１２６Ｂａに覆い被さるように重なり合う態様で、両シールドシェル分割体１２６Ａ，１２６Ｂが合体していてもよい。
【００４５】
具体的には、一方側のシールドシェル分割体１２６Ａの両側縁部１２６Ａａが、その外側に段状に膨らんだ形状に形成され、他方側のシールドシェル分割体１２６Ｂの両側縁部１２６Ｂａがその内側に段状に凹んだ形状に形成されている。そして、互いの両側縁部１２６Ａａ，１２６Ｂａが嵌まり合うように、重なり合う態様となっている。
【００４６】
この第１変形例では、互いの両側縁部１２６Ａａ，１２６Ｂａを嵌め合うようにすることで、比較的容易に両シールドシェル分割体１２６Ａ，１２６Ｂを合体させることができる。しかも、合体した形態で、両側縁部１２６Ａａ，１２６Ｂａ同士が重なり合っているため、シールド性にも優れる。
【００４７】
また、図８及び図９に示す第２変形例のように、上記コネクタハウジング３０に対応するコネクタハウジング２３０が、上記シールドシェル分割体２６Ａ，２６Ｂと対応する態様で複数（ここでは２つ）のハウジング分割体２３０Ａ，２３０Ｂに分割されており、シールドシェル分割体２６Ａ，２６Ｂが対応するハウジング分割体２３０Ａ，２３０Ｂに一体化された構成であってもよい。
【００４８】
シールドシェル分割体２６Ａ，２６Ｂと対応するハウジング分割体２３０Ａ，２３０Ｂとを一体化する構成としては、接着剤や熱圧着等の種々の構成を採用することができるが、インサート成形によることが最も好ましい。
【００４９】
また、ハウジング分割体２３０Ａ，２３０Ｂ同士の合体形態を保持する構成としては、周知の係合構造や、接着剤やネジ等を用いた種々の構成を作用することができる。
【００５０】
この第２変形例によると、各ハウジング分割体２３０Ａ，２３０Ｂ同士を合体させることで、各シールドシェル分割体２６Ａ，２６Ｂをも合体させることができ、便利である。
【００５１】
さらに、図１０及び図１１に示す第３変形例は、上記シールド接続部２８に関する変形例を示している。
【００５２】
すなわち、この第３変形例では、上記シールド接続部２８に対応するシールド接続部３２８の外周囲周りに、その周方向に沿って環状溝部３２８ａが形成されている。この環状溝部３２８ａには、締結具３４０が締結可能とされている。
【００５３】
また、シールド接続部３２８の先端側外周面は、その先端方向に向けて順次縮径するテーパ面３２８ｂに形成されており、これにより、シールド接続部３２８の先端開口部は、先端へ行くほど外径が小さくなるテーパ形状に形成されている。
【００５４】
この第３変形例では、シールド接続部３２８の先端開口部は、上記テーパ形状に形成されているため、シールド接続部２８をシールド層１２と電線１１間に挿入し易く、シールド層１２をシールド接続部２８の外周囲に容易に覆い被せるように配置することができる。
【００５５】
また、シールド層１２がシールド接続部２８の外周囲に覆い被せられた状態で、締結具３４０を上記環状溝部３２８ａの部分に、シールド層１２の外周囲から締結することで、シールド層１２が環状溝部３２８ａと締結具３４０との凹凸な嵌まり合い部分で比較的強固に接続保持される。
【００５６】
なお、上記実施形態及び各変形例は、適宜組合わせることができる。
【図面の簡単な説明】
【００５７】
【図１】シールドコネクタがシールドケーブルに接続された状態を示す図である。
【図２】シールドコネクタを接続する途中工程を示す図である。
【図３】シールドコネクタを接続する途中工程を示す図である。
【図４】シールドコネクタを接続する途中工程を示す図である。
【図５】シールドコネクタを接続する途中工程を示す図である。
【図６】シールドコネクタを接続する途中工程を示す図である。
【図７】第１変形例に係るシールドシェルを示す要部断面図である。
【図８】第２変形例に係るコネクタハウジング及びシールドシェルであって合体前の状態を示す図である。
【図９】第２変形例に係るコネクタハウジング及びシールドシェルであって合体後の状態を示す図である。
【図１０】第３変形例に係るシールドシェルを示す図である。
【図１１】第３変形例に係るシールドシェルにシールド層を接続した状態を示す図である。
【図１２】従来のシールドコネクタをシールドケーブルに接続する工程を示す説明図である。
【符号の説明】
【００５８】
１０  シールドケーブル
１１  電線
１２  シールド層
２０  シールドコネクタ
２２  端子
２４  コネクタ誘電体
２６  シールドシェル
２６Ａ，２６Ｂ  シールドシェル分割体
２７  シールド本体部
２８  シールド接続部
３０  コネクタハウジング
１２６Ａ，１２６Ｂ  シールドシェル分割体
１２６Ａａ，１２６Ｂａ  両側縁部
２３０  コネクタハウジング
２３０Ａ，２３０Ｂ  ハウジング分割体
３２８  シールド接続部
３２８ａ  環状溝部
３２８ｂ  テーパ面
３４０  締結具
【図１】
2006156190.tif 000003
【図２】
2006156190.tif 000004
【図３】
2006156190.tif 000005
【図４】
2006156190.tif 000006
【図５】
2006156190.tif 000007
【図６】
2006156190.tif 000008
【図７】
2006156190.tif 000009
【図８】
2006156190.tif 000010
【図９】
2006156190.tif 000011
【図１０】
2006156190.tif 000012
【図１１】
2006156190.tif 000013
【図１２】
2006156190.tif 000014